【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
アンテナと電気的に接続する第１の端子及び第２の端子と、
復調信号の出力端子と、
電源電位の出力端子と、
符号化信号の入力端子と、を有する送受信回路であって、
第１の容量素子の一方の電極は、前記第１の端子と電気的に接続され、
前記第１の容量素子の他方の電極は、第１のダイオードの出力端子及び第２のダイオードの入力端子と電気的に接続され、
前記第１のダイオードの入力端子は、前記第２の端子と電気的に接続され、
前記第２のダイオードの出力端子は、第２の容量素子の一方の電極、第３のダイオードの入力端子及び第４のダイオードの出力端子と電気的に接続され、
前記第２の容量素子の他方の電極は、前記第２の端子と電気的に接続され、
前記第３のダイオードの出力端子は、第１のトランジスタのソース又はドレインの一方と電気的に接続され、
前記第１のトランジスタのソース又はドレインの他方は、前記第２の端子と電気的に接続され、
前記第１のトランジスタのゲートは、前記符号化信号の入力端子と電気的に接続され、
前記第４のダイオードの入力端子は、前記復調信号の出力端子及び第５のダイオードの出力端子と電気的に接続され、
前記第４のダイオードの出力端子は、前記電源電位の出力端子と電気的に接続され、
前記第５のダイオードの入力端子は、前記第１の容量素子の前記他方の電極と電気的に接続され、
第３の容量素子の一方の電極は、前記第２の端子に電気的に接続され、
前記第３の容量素子の他方の電極は、前記復調信号の出力端子に電気的に接続され、
前記第２の端子と前記復調信号の出力端子は、抵抗を介して電気的に接続していることを特徴とする送受信回路。
【請求項２】
アンテナと電気的に接続する第１の端子及び第２の端子と、
復調信号の出力端子と、
電源電位の出力端子と、
符号化信号の入力端子と、を有する送受信回路であって、
第１の容量素子の一方の電極は、前記第１の端子と電気的に接続され、
前記第１の容量素子の他方の電極は、第１のダイオードの出力端子及び第２のダイオードの入力端子と電気的に接続され、
前記第１のダイオードの入力端子は、前記第２の端子と電気的に接続され、
前記第２のダイオードの出力端子は、第２の容量素子の一方の電極、第３のダイオードの入力端子及び第６のダイオードの入力端子と電気的に接続され、
前記第２の容量素子の他方の電極は、前記第２の端子と電気的に接続され、
前記第３のダイオードの出力端子は、第１のトランジスタのソース又はドレインの一方と電気的に接続され、
前記第１のトランジスタのソース又はドレインの他方は、前記第２の端子と電気的に接続され、
前記第１のトランジスタのゲートは、前記符号化信号の入力端子と電気的に接続され、
前記第６のダイオードの出力端子は、第７のダイオードの入力端子と電気的に接続され、
前記第７のダイオードの出力端子は、第４のダイオードの出力端子及び前記電源電位の出力端子と電気的に接続され、
前記第４のダイオードの入力端子は、前記復調信号の出力端子及び第５のダイオードの出力端子と電気的に接続され、
前記第５のダイオードの入力端子は、第４の容量素子の他方の電極と電気的に接続され、
第３の容量素子の一方の電極は、前記第２の端子に電気的に接続され、
前記第３の容量素子の他方の電極は、前記復調信号の出力端子に電気的に接続され、
前記第２の端子と前記復調信号の出力端子は、抵抗を介して電気的に接続され、
前記第４の容量素子の一方の電極は、前記第１の端子に電気的に接続され、
前記第４の容量素子の他方の電極は、前記第７のダイオードの入力端子に電気的に接続され、
第５の容量素子の一方の電極は、前記第２の端子に電気的に接続され、
前記第５の容量素子の他方の電極は、前記第７のダイオードの出力端子に電気的に接続されていることを特徴とする送受信回路。
【請求項３】
アンテナと電気的に接続する第１の端子及び第２の端子と、
復調信号の出力端子と、
電源電位の出力端子と、
符号化信号の入力端子と、
第１乃至第Ｎ（Ｎは２ｋ＋９以上の奇数、ｋは自然数）のダイオードと、を有する送受信回路であって、
第１の容量素子の一方の電極は、前記第１の端子と電気的に接続され、
前記第１の容量素子の他方の電極は、前記第１のダイオードの出力端子及び前記第２のダイオードの入力端子と電気的に接続され、
前記第１のダイオードの入力端子は、前記第２の端子と電気的に接続され、
前記第２のダイオードの出力端子は、第２の容量素子の一方の電極、前記第３のダイオードの入力端子及び第６のダイオードの入力端子と電気的に接続され、
前記第２の容量素子の他方の電極は、前記第２の端子と電気的に接続され、
前記第３のダイオードの出力端子は、第１のトランジスタのソース又はドレインの一方と電気的に接続され、
前記第１のトランジスタのソース又はドレインの他方は、前記第２の端子と電気的に接続され、
前記第１のトランジスタのゲートは、前記符号化信号の入力端子と電気的に接続され、
前記第６のダイオードの出力端子は、前記第７のダイオードの入力端子と電気的に接続され、
前記第２ｋ＋６のダイオードの出力端子は、前記第２ｋ＋７のダイオードの入力端子と電気的に接続され、
前記第Ｎ−１のダイオードの出力端子は、前記第Ｎのダイオードの入力端子に電気的に接続され、
前記第Ｎのダイオードの出力端子は、第４のダイオードの出力端子及び前記電源電位の出力端子と電気的に接続され、
前記第４のダイオードの入力端子は、前記復調信号の出力端子及び第５のダイオードの出力端子と電気的に接続され、
前記第５のダイオードの入力端子は、第Ｎ−３の容量素子の他方の電極に電気的に接続され、
第３の容量素子の一方の電極は、前記第２の端子に電気的に接続され、
前記第３の容量素子の他方の電極は、前記復調信号の出力端子に電気的に接続され、
前記第２の端子と前記復調信号の出力端子は、抵抗を介して電気的に接続され、
第４の容量素子の一方の電極は、前記第１の端子に電気的に接続され、
前記第４の容量素子の他方の電極は、前記第７のダイオードの入力端子に電気的に接続され、
第５の容量素子の一方の電極は、前記第２の端子に電気的に接続され、
前記第５の容量素子の他方の電極は、前記７のダイオードの出力端子に電気的に接続され、
第２ｋ＋４の容量素子の一方の電極は、前記第１の端子に電気的に接続され、
前記第２ｋ＋４の容量素子の他方の電極は、前記第２ｋ＋７のダイオードの入力端子に接続され、
前記第２ｋ＋５の容量素子の一方の電極は、前記第１の端子に電気的に接続され、
前記第２ｋ＋５の容量素子の他方の電極は前記第２ｋ＋７のダイオードの出力端子に電気的に接続され、
前記第Ｎ−３の容量素子の一方の電極は、前記第１の端子に電気的に接続され、
前記第Ｎ−３の容量素子の他方の電極は、前記第Ｎのダイオードの入力端子に電気的に接続され、
前記第Ｎ−２の容量素子の一方の電極は、前記第２の端子に電気的に接続され、
前記第Ｎ−２の容量素子の他方の電極は、前記Ｎのダイオードの出力端子に電気的に接続されていることを特徴とする送受信回路。
【請求項４】
請求項３において、
前記送受信回路は（Ｎ−３）／２の倍圧整流回路であること特徴とする送受信回路。
【請求項５】
請求項１乃至請求項４のいずれか一項において、
前記第１乃至第５のダイオードは、Ｎチャネル型トランジスタのゲートとドレインを接続したもの又はＰチャネル型トランジスタのゲートとドレインを接続したものであり、
前記第１乃至第５のダイオードの入力端子は前記Ｎチャネル型トランジスタのソースまたは前記Ｐチャネル型トランジスタのゲートおよびドレインであり、
前記第１乃至５のダイオードの出力端子は前記Ｎチャネル型トランジスタのゲートおよびドレインまたは前記Ｐチャネル型トランジスタのソースであることを特徴とする送受信回路。
【請求項６】
請求項１乃至請求項５のいずれか一項において、
前記第３の容量素子の大きさは１ｐＦ以上１０ｐＦ以下であり、且つ抵抗は１０ｋΩ以上１００ｋΩ以下であることを特徴とする送受信回路。
【請求項７】
請求項１乃至請求項６の送受信回路を有する半導体装置。